(57)【要約】      （修正有）【課題】電力単価の変動に応じて光熱費の低減を図ることができる電力供給システムを提供する。【解決手段】電力供給システム１は、自然エネルギーを利用して発電可能であると共に当該発電された電力を商用電源Ｓへと売電可能な太陽光発電部１０と、購入電力（商用電源Ｓからの商用電力）及びＰＶ電力（太陽光発電部１０からの発電電力）を充放電可能な蓄電装置３０と、蓄電装置３０の充放電を制御する制御装置５０と、を具備する。制御装置５０は、購入電力を蓄電装置３０に充電した時の購入電力の買電単価である充電時購入電力単価及びＰＶ電力を蓄電装置３０に充電した時のＰＶ電力の売電単価である充電時ＰＶ電力単価に基づいて、充電した電力の平均単価である充電単価を算出し、算出した充電単価に基づいて蓄電装置３０の充放電を制御する。【選択図】図１
2019170102.tif 000002
【特許請求の範囲】
【請求項１】
自然エネルギーを利用して発電可能であると共に当該発電された電力を商用電源へと売電可能な発電部と、
前記商用電源からの商用電力及び前記発電部からの発電電力を充放電可能な蓄電装置と、
前記蓄電装置の充放電を制御する制御部と、
を具備し、
前記制御部は、
前記商用電力を前記蓄電装置に充電した時の前記商用電力の買電単価である充電時買電単価、及び前記発電電力を前記蓄電装置に充電した時の前記発電電力の売電単価である充電時売電単価に基づいて、充電した電力の平均単価である充電単価を算出し、算出した前記充電単価に基づいて前記蓄電装置の充放電を制御する、
電力供給システム。
【請求項２】
前記制御部は、
前記蓄電装置に充電可能な時間帯である充電タイミングを決定する計画処理を実行可能であり、
前記計画処理において、
電力需要に対して前記発電電力の余剰が発生する第一の時間帯、前記商用電力の買電単価が最少となる第二の時間帯、又は前記商用電力の買電単価が前記発電電力の売電単価未満となる第三の時間帯を予測し、予測した当該第一の時間帯、当該第二の時間帯及び当該第三の時間帯を前記充電タイミングとする、
請求項１に記載の電力供給システム。
【請求項３】
前記制御部は、
前記計画処理において、
前記充電タイミングそれぞれにおいて前記蓄電装置に充電すべき充電量である目標充電量を決定可能であり、
前記充電タイミングの一つである第一充電タイミングから当該第一充電タイミングの次の充電タイミングである第二充電タイミングまでの電力需要及び前記発電部の発電量を予測し、予測した当該電力需要及び当該発電量に基づいて、前記第一充電タイミングにおける前記目標充電量を決定する、
請求項２に記載の電力供給システム。
【請求項４】
前記制御部は、
前記計画処理において、
前記第一の時間帯における前記充電時売電単価、前記第二の時間帯における前記充電時買電単価、及び前記第三の時間帯における前記充電時買電単価に対して、単価が低い順に優先順位を設定し、
前記優先順位が最も上位の前記充電タイミングにおける前記目標充電量を、前記蓄電装置の最大容量に修正する、
請求項３に記載の電力供給システム。
【請求項５】
前記制御部は、
前記計画処理において、
前記優先順位が最も上位の前記充電タイミングにおいて前記蓄電装置の最大能力で充電しても前記最大容量に到達しない場合、前記優先順位が２番目に上位の前記充電タイミングにおける前記目標充電量に不足分を加算する、
請求項４に記載の電力供給システム。
【請求項６】
前記制御部は、
前記充電単価が現在の前記商用電力の買電単価よりも低い場合、電力需要に応じて前記蓄電装置を放電させる、
請求項１から請求項５までのいずれか一項に記載の電力供給システム。
【請求項７】
燃料を利用して発電可能な燃料電池を具備し、
前記制御部は、
前記燃料電池の発電単価が前記充電単価及び現在の前記商用電力の買電単価よりも低い場合、前記燃料電池を発電させる、
請求項１から請求項６までのいずれか一項に記載の電力供給システム。
【請求項８】
前記制御部は、
前記充電単価が前記燃料電池の前記発電単価及び現在の前記商用電力の買電単価よりも低い場合、前記蓄電装置を放電させる、
請求項７に記載の電力供給システム。
【請求項９】
前記制御部は、
前記充電単価が前記燃料電池の前記発電単価及び現在の前記商用電力の買電単価よりも低く、かつ、前記燃料電池の前記発電単価が現在の前記商用電力の買電単価よりも低い場合において、
各時間における前記蓄電装置の放電量が平均化するように前記蓄電装置を放電させ、
平均化された前記放電量では予測される電力需要の全部又は一部を賄えない場合、前記燃料電池を発電させる、
請求項８に記載の電力供給システム。
【発明の詳細な説明】
【技術分野】
【０００１】
本発明は、発電部からの電力を充放電可能な蓄電装置を具備する電力供給システムの技術に関する。
【背景技術】
【０００２】
従来、発電部からの電力を充放電可能な蓄電装置を具備する電力供給システムの技術は公知となっている。例えば、特許文献１に記載の如くである。
【０００３】
特許文献１には、太陽光発電部及び当該太陽光発電部からの電力を充放電可能な蓄電装置を具備する電力供給システムが記載されている。当該電力供給システムは、太陽光発電部からの余剰電力を商用電源へと逆潮流（売電）させることが可能であり、また電力単価の低い深夜電力を蓄電装置に充電するように構成されている。これにより、光熱費の低減を図ることができる。
【０００４】
しかしながら、太陽光発電の売電単価は近年低下しており、例えば、昼間の電力価格よりも低くなる場合がある。このため、特許文献１に記載の電力供給システムにおいては、このような電力単価の変動があった場合、光熱費を最小化することができない場合があった。
【先行技術文献】
【特許文献】
【０００５】
【特許文献１】特開２０１４−４５６３５号公報
【発明の概要】
【発明が解決しようとする課題】
【０００６】
本発明は以上の如き状況に鑑みてなされたものであり、その解決しようとする課題は、電力単価の変動に応じて光熱費の低減を図ることができる電力供給システムを提供することである。
【課題を解決するための手段】
【０００７】
本発明の解決しようとする課題は以上の如くであり、次にこの課題を解決するための手段を説明する。
【０００８】
即ち、請求項１においては、自然エネルギーを利用して発電可能であると共に当該発電された電力を商用電源へと売電可能な発電部と、前記商用電源からの商用電力及び前記発電部からの発電電力を充放電可能な蓄電装置と、前記蓄電装置の充放電を制御する制御部と、を具備し、前記制御部は、前記商用電力を前記蓄電装置に充電した時の前記商用電力の買電単価である充電時買電単価、及び前記発電電力を前記蓄電装置に充電した時の前記発電電力の売電単価である充電時売電単価に基づいて、充電した電力の平均単価である充電単価を算出し、算出した前記充電単価に基づいて前記蓄電装置の充放電を制御するものである。
【０００９】
請求項２においては、前記制御部は、前記蓄電装置に充電可能な時間帯である充電タイミングを決定する計画処理を実行可能であり、前記計画処理において、電力需要に対して前記発電電力の余剰が発生する第一の時間帯、前記商用電力の買電単価が最少となる第二の時間帯、又は前記商用電力の買電単価が前記発電電力の売電単価未満となる第三の時間帯を予測し、予測した当該第一の時間帯、当該第二の時間帯及び当該第三の時間帯を前記充電タイミングとするものである。
【００１０】
請求項３においては、前記制御部は、前記計画処理において、前記充電タイミングそれぞれにおいて前記蓄電装置に充電すべき充電量である目標充電量を決定可能であり、前記充電タイミングの一つである第一充電タイミングから当該第一充電タイミングの次の充電タイミングである第二充電タイミングまでの電力需要及び前記発電部の発電量を予測し、予測した当該電力需要及び当該発電量に基づいて、前記第一充電タイミングにおける前記目標充電量を決定するものである。
【００１１】
請求項４においては、前記制御部は、前記計画処理において、前記第一の時間帯における前記充電時売電単価、前記第二の時間帯における前記充電時買電単価、及び前記第三の時間帯における前記充電時買電単価に対して、単価が低い順に優先順位を設定し、前記優先順位が最も上位の前記充電タイミングにおける前記目標充電量を、前記蓄電装置の最大容量に修正するものである。
【００１２】
請求項５においては、前記制御部は、前記計画処理において、前記優先順位が最も上位の前記充電タイミングにおいて前記蓄電装置の最大能力で充電しても前記最大容量に到達しない場合、前記優先順位が２番目に上位の前記充電タイミングにおける前記目標充電量に不足分を加算するものである。
【００１３】
請求項６においては、前記制御部は、前記充電単価が現在の前記商用電力の買電単価よりも低い場合、電力需要に応じて前記蓄電装置を放電させるものである。
【００１４】
請求項７においては、燃料を利用して発電可能な燃料電池を具備し、前記制御部は、前記燃料電池の発電単価が前記充電単価及び現在の前記商用電力の買電単価よりも低い場合、前記燃料電池を発電させるものである。
【００１５】
請求項８においては、前記制御部は、前記充電単価が前記燃料電池の前記発電単価及び現在の前記商用電力の買電単価よりも低い場合、前記蓄電装置を放電させるものである。
【００１６】
請求項９においては、前記制御部は、前記充電単価が前記燃料電池の前記発電単価及び現在の前記商用電力の買電単価よりも低く、かつ、前記燃料電池の前記発電単価が現在の前記商用電力の買電単価よりも低い場合において、各時間における前記蓄電装置の放電量が平均化するように前記蓄電装置を放電させ、平均化された前記放電量では予測される電力需要の全部又は一部を賄えない場合、前記燃料電池を発電させるものである。
【発明の効果】
【００１７】
本発明の効果として、以下に示すような効果を奏する。
【００１８】
請求項１においては、電力単価の変動に応じて光熱費の低減を図ることができる。
【００１９】
請求項２においては、余剰電力が生じるタイミング又は充電する電力の電力単価の低いタイミングで蓄電装置に充電することができる。
【００２０】
請求項３においては、次の充電タイミング（第二充電タイミング）までの電力需要を、蓄電装置から放電される電力によって賄うことができる。
【００２１】
請求項４においては、電力単価が低い電力を多く充電できるため、光熱費の低減を図ることができる。
【００２２】
請求項５においては、電力単価が最も低い充電タイミングで充電した電力だけでは電力需要を賄えない場合であっても、電力単価が２番目に低い充電タイミングで充電した電力で電力需要を賄うことができるため、光熱費を抑えつつ電力需要を賄うことができる。
【００２３】
請求項６においては、電力単価の低い蓄電装置からの電力を電力需要に充てることができるため、光熱費の低減を図ることができる。
【００２４】
請求項７においては、電力単価の低い燃料電池からの電力を電力需要に充てることができるため、光熱費の低減を図ることができる。
【００２５】
請求項８においては、電力単価の低い蓄電装置からの電力を電力需要に充てることができるため、光熱費の低減を図ることができる。
【００２６】
請求項９においては、蓄電装置からの電力と燃料電池からの電力とで電力需要を賄えるにもかかわらず商用電力を買電してしまうのを防ぐことができる。
【図面の簡単な説明】
【００２７】
【図１】本発明の一実施形態に係る電力供給システムの構成を示したブロック図。
【図２】計画処理に係る制御のフローチャートを示した図。
【図３】ＰＶ電力及び電力需要の時間ごとの推移を示した図。
【図４】購入電力単価、ＰＶ電力単価及びＦＣ発電単価の時間ごとの推移を示した図。
【図５】各充電タイミングの目標充電量の設定方法を示す図。
【図６】（ａ）満充電時間の設定方法を示す図。（ｂ）目標充電量の修正方法を示す図。
【図７】実行処理に係る制御のフローチャートを示した図。
【発明を実施するための形態】
【００２８】
以下では、図１を用いて、本発明の一実施形態に係る電力供給システム１について説明する。
【００２９】
電力供給システム１は、住宅等に設けられ、商用電源Ｓや後述する燃料電池２０等からの電力を図示せぬ負荷へと供給するものである。電力供給システム１は、主として太陽光発電部１０、燃料電池２０、蓄電装置３０、分電盤４０及び制御装置５０を具備する。
【００３０】
太陽光発電部１０は、太陽光（自然エネルギー）を利用して発電する装置である。太陽光発電部１０は、太陽電池パネル（ＰＶ）等により構成される。太陽光発電部１０は、例えば住宅の屋根の上等の日当たりの良い場所に設置される。太陽光発電部１０は、発電した電力を出力可能に構成される。
【００３１】
燃料電池２０は、固体酸化物形燃料電池（ＳＯＦＣ  ：  Ｓｏｌｉｄ  Ｏｘｉｄｅ  Ｆｕｅｌ  Ｃｅｌｌ）等により構成され、住宅に設置される燃料電池である。燃料電池２０は、供給される燃料（例えば、水素等）を用いて発電することができる。また、燃料電池２０は図示せぬ貯湯ユニットを備え、発電時に発生する熱を用いて当該貯湯ユニット内で湯を沸かすことができる。
【００３２】
蓄電装置３０は、商用電源Ｓや太陽光発電部１０からの電力を充放電可能に構成される装置である。蓄電装置３０は、電力を充放電可能なリチウムイオン電池やニッケル水素電池等からなる蓄電池や、供給されてくる交流電力を整流して前記蓄電池に充電させる充電器や、前記蓄電池からの直流電力を交流電力に変換して出力するインバータ等を具備する。
【００３３】
分電盤４０は、負荷の消費電力に応じて電力の供給元から供給された電力を、当該負荷に分配するものである。分電盤４０は、図示せぬ漏電遮断器や、配線遮断器、制御ユニット等により構成される。分電盤４０は、電力の供給元としての商用電源Ｓや、太陽光発電部１０、燃料電池２０及び蓄電装置３０と接続され、これらからの電力が適宜供給される。
【００３４】
なお、本実施形態において負荷とは、住宅において電力が消費される電化製品等に接続される回路である。負荷は、例えば部屋ごとや、エアコンのように大きな電力を消費する機器専用のコンセントごとに設けられ、それぞれ分電盤４０に接続される（不図示）。
【００３５】
制御装置５０は、電力供給システム１内の情報を管理すると共に、当該電力供給システム１における電力の供給態様、例えば、燃料電池２０の発電や蓄電装置３０の充放電等を制御するものである。制御装置５０は、ＲＡＭやＲＯＭ等の記憶部や、ＣＰＵ等の演算処理部等により構成される。
【００３６】
制御装置５０は、前記記憶部に、電力単価に係る情報を記憶する。具体的には、制御装置５０は、電力単価に係る情報として、商用電源Ｓから購入する電力（以下、「購入電力」という）の買電単価（以下、「購入電力単価」という）、太陽光発電部１０によって発電された電力（以下、「ＰＶ電力」という）の売電単価（以下、「ＰＶ電力単価」という）、燃料電池２０の発電単価（燃料電池２０の発電に要する燃料の購入単価。以下、「ＦＣ発電単価」という）を記憶する。
【００３７】
制御装置５０は、購入電力を蓄電装置３０に充電した時の購入電力単価を記憶する。また、制御装置５０は、ＰＶ電力を蓄電装置３０に充電した時のＰＶ電力単価を記憶する。
【００３８】
制御装置５０は、前記記憶部に、時間ごとの負荷の消費電力（電力需要）のデータ（実績）を蓄積する。また、制御装置５０は、時間ごとのＰＶ電力のデータ（実績）を蓄積する。制御装置５０は、これら蓄積したデータに基づいて、将来の電力需要及びＰＶ電力量を予測する。
【００３９】
制御装置５０は、このような電力単価に係る情報や、予測した将来の電力需要及びＰＶ電力に基づいて、蓄電装置３０に充電を行う時間帯（以下、「充電タイミング」という）、及び充電タイミング終了時に蓄電装置３０に蓄えておくべき電力量（以下、「目標充電量」という）を計画する計画処理を行う。また、制御装置５０は、電力需要に対してどの電力源（商用電源Ｓ、燃料電池２０又は蓄電装置３０）から負荷に電力を供給するかを決定し、実際に電力の供給を行う実行処理を行う。
【００４０】
なお、本発明に係る「制御装置」の構成は、制御装置５０の構成に限定するものではない。例えば、本発明に係る「制御装置」は、蓄電装置３０の制御部や、燃料電池２０の制御部により構成されるものであってもよい。
【００４１】
以下では、図２から図６を用いて、制御装置５０による計画処理に係る制御について説明する。なお、図３に示すＰＶ電力及び電力需要の時間ごとの推移、及び図４に示す購入電力単価及びＰＶ電力単価の時間ごとの推移は、過去の実績等に基づいて制御装置５０によって予測されたものである。
【００４２】
また、図４においては、便宜上電力単価を折れ線で示しているが、時刻ｔ（例えば６時）の位置に示された電力単価は、ｔ時台（例えば６時台）の電力単価である。
【００４３】
図２に示すように、ステップＳ１０において、制御装置５０は、充電タイミングの設定を行う。このステップにおいて、制御装置５０は、ＰＶ余剰電力（電力需要に対して余剰するＰＶ電力）が発生する時間帯（第一の時間帯）を、１つ目の充電タイミングに設定する。また、制御装置５０は、購入電力単価が最少となる時間帯（第二の時間帯）を、２つ目の充電タイミングに設定する。また、制御装置５０は、購入電力単価がＰＶ電力単価未満となる時間帯（第三の時間帯）を、３つ目の充電タイミングに設定する。
【００４４】
図３に示す例においては、９〜１６時台において、ＰＶ電力が電力需要を上回っており、ＰＶ余剰電力が発生している。よって、制御装置５０は、９〜１６時台（第一の時間帯）を１つ目の充電タイミングとして設定する。
【００４５】
また、図４に示す例においては、３〜６時台において、購入電力単価が最少となっている。よって、制御装置５０は、３〜６時台（第二の時間帯）を２つ目の充電タイミングとして設定する。
【００４６】
また、図４に示す例においては、２１〜６時台において、購入電力単価がＰＶ電力単価未満となっている。よって、制御装置５０は、２１〜６時台のうち、第二の時間帯（３〜６時台）と重複する部分を除く２１〜２時台（第三の時間帯）を３つ目の充電タイミングとして設定する。
【００４７】
制御装置５０は、当該ステップＳ１０の処理を行った後、ステップＳ１２に移行する。
【００４８】
ステップＳ１２において、制御装置５０は、充電タイミングの優先順位の設定を行う。このステップにおいて、制御装置５０は、各充電タイミング（第一から第三の各時間帯）のうち、どの充電タイミング（時間帯）に優先的に蓄電装置３０に充電を行う（目標充電量を上方修正する（増大させる））のかを決定する。制御装置５０は、充電時の電力単価の低い順に、充電タイミングの優先順位を設定する。具体的には、制御装置５０は、９〜１６時台（第一の時間帯）におけるＰＶ電力単価、３〜６時台（第二の時間帯）における購入電力単価、及び２１〜２時台（第三の時間帯）における購入電力単価に対して、単価の低い順に優先順位を設定する。
【００４９】
図４に示す例においては、３〜６時台（第二の時間帯）の購入電力単価、２１〜２時台（第三の時間帯）の購入電力単価、９〜１６時台（第一の時間帯）のＰＶ電力単価、の順で電力単価が低いため、３〜６時台（第二の時間帯）を優先順位第１位、２１〜２時台（第三の時間帯）を優先順位第２位、９〜１６時台（第一の時間帯）を優先順位第３位とする。
【００５０】
制御装置５０は、当該ステップＳ１２の処理を行った後、ステップＳ１４に移行する。
【００５１】
ステップＳ１４において、制御装置５０は、各充電タイミングの目標充電量の設定を行う。このステップにおいて、制御装置５０は、各充電タイミング間の購入電力量（すなわち、電力需要量に対してＰＶ電力量で賄えない分）を算出する。そして、制御装置５０は、（算出した）各充電タイミング（の終了時点）から次の充電タイミングまでの間の購入電力量を、各充電タイミングの目標充電量とする。この際、制御装置５０は、目標充電量が蓄電装置３０の蓄電容量（最大容量）を超える場合は、目標充電量を最大容量とする。
【００５２】
図５に示すように、３〜６時台（第二の時間帯）の目標充電量は、次の充電タイミングである９〜１６時台（第一の時間帯）までの期間（７〜８時台）における購入電力量である１．５ｋＷｈ（図３及び図５においてＨ１で示される領域に相当する電力量）に設定される。また、９〜１６時台（第一の時間帯）の目標充電量は、次の充電タイミングである２１〜２時台（第三の時間帯）までの期間（１７〜２０時台）における購入電力量である７．５ｋＷｈ（図３及び図５においてＨ２で示される領域に相当する電力量）に設定される。また、２１〜２時台（第三の時間帯）の目標充電量は、次の充電タイミングである３〜６時台（第二の時間帯）までの期間が存在しないため、０ｋＷｈに設定される。なお、図５及び以下で説明する図６においては、充電タイミングの終了時点における目標充電量を概念的に示しており、例えば３〜６時台（第二の時間帯）においては、３〜６時台全体で１．５ｋＷｈ充電することを示しており、１時間ごとに１．５ｋＷｈずつ充電することを示すものではない。
【００５３】
これにより、次の充電タイミングまでの電力需要を、蓄電装置３０から放電される電力によって賄うことができる。制御装置５０は、当該ステップＳ１４の処理を行った後、ステップＳ１６に移行する。
【００５４】
ステップＳ１６において、制御装置５０は、満充電時間（目標充電量を蓄電装置３０の蓄電容量とする充電タイミング）の設定を行う。このステップにおいて、制御装置５０は、ステップＳ１２で設定した優先順位が第１位（最も上位）の充電タイミングの目標充電量を、蓄電装置３０の蓄電容量に修正する。
【００５５】
例えば、蓄電装置３０の蓄電容量を１０ｋＷｈとすると、図６（ａ）に示すように、制御装置５０は、優先順位第１位の充電タイミングである３〜６時台（第二の時間帯）における目標充電量を、蓄電装置３０の蓄電容量である１０ｋＷｈに修正する（図５及び図６（ａ）参照）。
【００５６】
これにより、電力単価が低い電力を多く充電できるため、光熱費の低減を図ることができる。制御装置５０は、当該ステップＳ１６の処理を行った後、ステップＳ１８に移行する。
【００５７】
ステップＳ１８において、制御装置５０は、充電可能量＞目標充電量であるか否かの判定を行う。ここで、充電可能量とは、充電タイミングの時間帯全体において蓄電装置３０が最大入力電力（最大能力）で充電したときの電力量である。
【００５８】
制御装置５０は、充電可能量＞目標充電量であると判定した場合（ステップＳ１８で「ＹＥＳ」）、図２に示す計画処理に係る制御を終了する。一方、制御装置５０は、充電可能量＞目標充電量でないと判定した場合（ステップＳ１８で「ＮＯ」）、ステップＳ２０に移行する。
【００５９】
なお、ステップＳ１８で「ＮＯ」の場合とは、優先順位第１位の充電タイミングにおいて蓄電装置３０の最大入力電力で充電しても、目標充電量に到達しない場合を示している。例えば、蓄電装置３０の最大入力電力を２ｋＷとし、優先順位第１位の充電タイミングである３〜６時台（第二の時間帯）の目標充電量を１０ｋＷｈとすると、優先順位第１位の充電タイミングである３〜６時台（第二の時間帯）における蓄電装置３０の充電可能量は、２ｋＷ×４ｈ＝８ｋＷｈとなり、目標充電量（１０ｋＷｈ）に２ｋＷｈだけ不足する。
【００６０】
ステップＳ２０において、制御装置５０は、優先順位第１位の３〜６時台（第二の時間帯）の目標充電量に対する不足分、すなわち当該目標充電量（１０ｋＷｈ）から充電可能量（８ｋＷｈ）を減算した値（２ｋＷｈ）を、優先順位第２位の２１〜２時台（第三の時間帯）の目標充電量に加算する（振り分ける）。
【００６１】
これにより、安価な電力で蓄電装置３０を満たすことができ、全体の光熱費を抑えることができる。制御装置５０は、当該ステップＳ２０の処理を行った後、図２に示す計画処理に係る制御を終了する。
【００６２】
以上の如く計画処理に係る制御を行うことにより、ＰＶ余剰電力を充電するとともに、購入電力量に合わせて、より単価の低い（安価な）電力を蓄電装置３０に充電することができるため、光熱費の削減を図ることができる。
【００６３】
次に、図３、図４及び図７を用いて、制御装置５０による実行処理に係る制御について説明する。
【００６４】
図７に示すように、ステップＳ２８において、制御装置５０は、現在が充電タイミングであるか否かを判定する。充電タイミングは、図２に示す計画処理に係る制御で決定されたものである（図３及び図４参照）。
【００６５】
制御装置５０は、現在が充電タイミングであると判定した場合（ステップＳ２８で「ＹＥＳ」）、ステップＳ３０に移行する。
【００６６】
ステップＳ３０において、制御装置５０は、蓄電残量＞目標充電量であるか否かの判定を行う。蓄電残量は、蓄電装置３０に蓄電された現在の電力量である。目標充電量は、図２に示す計画処理に係る制御で決定されたものである（図６（ｂ）参照）。
【００６７】
制御装置５０は、蓄電残量＞目標充電量でないと判定した場合（ステップＳ３０で「ＮＯ」）、ステップＳ３２に移行する。一方、制御装置５０は、蓄電残量＞目標充電量であると判定した場合（ステップＳ３０で「ＹＥＳ」）、図７に示す実行処理に係る制御を終了する。
【００６８】
なお、ステップＳ３０で「ＮＯ」の場合とは、蓄電残量が目標充電量に達しておらず、蓄電装置３０の充電が必要であることを示している。一方、ステップＳ３０で「ＹＥＳ」の場合とは、蓄電残量が目標充電量に達しており、蓄電装置３０の充電が不要であることを示している。
【００６９】
ステップＳ３２において、制御装置５０は、ＦＣ発電単価＜購入電力単価又はＰＶ電力単価であるか否かを判定する。具体的には、制御装置５０は、現在が、購入電力単価が最少となる第二の時間帯（３〜６時台）、又は購入電力単価がＰＶ電力単価未満となる第三の時間帯（２１〜２時台）である場合には、ＦＣ発電単価＜購入電力単価であるか否かを判定する。また、制御装置５０は、現在が、ＰＶ余剰電力が発生する第一の時間帯（９〜１６時台）である場合には、ＦＣ発電単価＜ＰＶ電力単価であるか否かを判定する。
【００７０】
制御装置５０は、ＦＣ発電単価＜購入電力単価又はＰＶ電力単価であると判定した場合（ステップＳ３２で「ＹＥＳ」）、ステップＳ３４に移行する。一方、制御装置５０は、ＦＣ発電単価＜購入電力単価又はＰＶ電力単価でないと判定した場合（ステップＳ３２で「ＮＯ」）、ステップＳ３６に移行する。
【００７１】
ステップＳ３４において、制御装置５０は、燃料電池２０の発電を行う。制御装置５０は、電力需要に応じて、燃料電池２０を発電させる。
【００７２】
図４に示す例においては、制御装置５０は、ＦＣ発電単価＜ＰＶ電力単価である９〜１６時台（第一の時間帯）において、電力需要に応じて燃料電池２０を発電させる。また、制御装置５０は、ＦＣ発電単価＜購入電力単価である２１〜２時台（第三の時間帯）において電力需要に応じて燃料電池２０を発電させる。
【００７３】
このように、電力単価の低い燃料電池２０によって発電された電力（以下、「ＦＣ電力」という」を電力需要に充てることにより、購入電力量を減らすことができ、光熱費を低減することができる。
【００７４】
制御装置５０は、当該ステップＳ３４の処理を行った後、ステップＳ３６に移行する。
【００７５】
ステップＳ３６において、制御装置５０は、蓄電装置３０の充電を行う。制御装置５０は、図２に示す計画処理に係る制御で決定された充電タイミング及び目標充電量で、蓄電装置３０を充電させる（図６（ｂ）参照）。
【００７６】
図３及び図４に示す例においては、制御装置５０は、３〜６時台（第二の時間帯）において、蓄電装置３０の蓄電残量が目標充電量である１０ｋＷｈ（図６（ｂ）参照）となるように、購入電力によって蓄電装置３０の充電を行う。また、制御装置５０は、９〜１６時台（第一の時間帯）において、蓄電装置３０の蓄電残量が目標充電量である７．５ｋＷｈ（図６（ａ）及び図６（ｂ）参照）となるように、ＰＶ余剰電力によって蓄電装置３０の充電を行う。また、制御装置５０は、２１〜２時台（第三の時間帯）において、蓄電装置３０の蓄電残量が目標充電量である２ｋＷｈ（図６（ｂ）参照）となるように、購入電力によって蓄電装置３０の充電を行う。
【００７７】
なお、ＰＶ余剰電力が発生する９〜１６時台（第一の時間帯）において、ＰＶ余剰電力の全てを充電しても目標充電量に到達しない場合であっても、制御装置５０は、ＰＶ余剰電力を超えた充電（購入電力による充電）は行わない。
【００７８】
制御装置５０は、当該ステップＳ３６の処理を行った後、ステップＳ３８に移行する。
【００７９】
ステップＳ３８において、制御装置５０は、充電単価更新処理を行う。この処理において、制御装置５０は、蓄電装置３０に充電した電力の平均単価である充電単価を更新する。制御装置５０は、例えば１時間ごとに充電単価を更新する。
【００８０】
時刻ｔの充電単価Ｐｔ［円／ｋＷｈ］は、以下の式１により更新（算出）される。
（式１）  Ｐｔ＝（Ｐｔ−１×Ｅｂ＋Ｐｃ×Ｅｃ）／（Ｅｂ＋Ｅｃ）
ここで、Ｐｔ−１は時刻ｔ−１の時点で更新された充電単価［円／ｋＷｈ］、Ｅｂは時刻ｔ−１の時点の蓄電残量［ｋＷｈ］、Ｐｃは時刻ｔ−１から時刻ｔまでの間の充電電力の単価［円／ｋＷｈ］、Ｅｃは時刻ｔ−１から時刻ｔまでの間の充電量［ｋＷｈ］を示している。
【００８１】
例えば、２１時の時点で更新された充電単価が２０［円／ｋＷｈ］、２１時の時点の蓄電残量が４ｋＷｈ、２１〜２２時の間の充電電力の単価が４０［円／ｋＷｈ］、２１〜２２時の間の充電量が１ｋＷｈとすると、２２時の充電単価Ｐ２２は、以下のように算出される。
Ｐ２２＝（２０［円／ｋＷｈ］×４［ｋＷｈ］＋４０［円／ｋＷｈ］×１［ｋＷｈ］）／（４［ｋＷｈ］＋１［ｋＷｈ］）＝２４［円／ｋＷｈ］
【００８２】
再びステップＳ２８を参照する。制御装置５０は、現在が充電タイミングでないと判定した場合（ステップＳ２８で「ＮＯ」）、ステップＳ４０に移行する。
【００８３】
ステップＳ４０において、制御装置５０は、充電単価＜購入電力単価であるか否かを判定する。制御装置５０は、直前の充電単価と現在の購入電力単価とを比較してこの判定を行う。
【００８４】
制御装置５０は、充電単価＜購入電力単価であると判定した場合（ステップＳ４０で「ＹＥＳ」）、ステップＳ４６に移行する。一方、制御装置５０は、充電単価＜購入電力単価でないと判定した場合（ステップＳ４０で「ＮＯ」）、ステップＳ４２に移行する。
【００８５】
なお、ステップＳ４０で「ＮＯ」の場合とは、充電単価が購入電力単価より安くなく、電力需要に応じて蓄電装置３０を放電させてもコストメリットが得られないことを示している。よって、ステップＳ４０で「ＮＯ」の場合には、以下のステップにおいて、蓄電装置３０の放電を行わない。一方、ステップＳ４０で「ＹＥＳ」の場合とは、充電単価が購入電力単価より安く、電力需要に応じて蓄電装置３０を放電させることにより、コストメリットが得られることを示している。よって、ステップＳ４０で「ＹＥＳ」の場合には、以下のステップにおいて、蓄電装置３０の放電を行うことを検討する。
【００８６】
ステップＳ４２において、制御装置５０は、ＦＣ発電単価＜購入電力単価であるか否かを判定する。制御装置５０は、現在の時刻におけるＦＣ発電単価と購入電力単価とを比較してこの判定を行う。
【００８７】
制御装置５０は、ＦＣ発電単価＜購入電力単価であると判定した場合（ステップＳ４２で「ＹＥＳ」）、ステップＳ４４に移行する。一方、制御装置５０は、ＦＣ発電単価＜購入電力単価でないと判定した場合（ステップＳ４２で「ＮＯ」）、図７に示す実行処理に係る制御を終了する。
【００８８】
なお、ステップＳ４２で「ＮＯ」の場合とは、ＦＣ発電単価が購入電力単価より安くなく、電力需要に応じて燃料電池２０を発電させてもコストメリットが得られないことを示している。よって、ステップＳ４２で「ＮＯ」の場合には、以下のステップにおいて、燃料電池２０の発電を行わない。
【００８９】
ステップＳ４４において、制御装置５０は、燃料電池２０の発電を行う。制御装置５０は、電力需要に応じて燃料電池２０を発電させる。このように、電力単価の低いＦＣ電力を電力需要に充てることにより、購入電力量を減らすことができ、光熱費を低減することができる。
【００９０】
制御装置５０は、当該ステップＳ４４の処理を行った後、図７に示す実行処理に係る制御を終了する。
【００９１】
一方、ステップＳ４６において、制御装置５０は、ＦＣ発電単価＜購入電力単価であるか否かを判定する。制御装置５０は、現在のＦＣ発電単価と購入電力単価とを比較してこの判定を行う。
【００９２】
制御装置５０は、ＦＣ発電単価＜購入電力単価であると判定した場合（ステップＳ４６で「ＹＥＳ」）、ステップＳ５０に移行する。一方、制御装置５０は、充電単価＜購入電力単価でないと判定した場合（ステップＳ４６で「ＮＯ」）、ステップＳ４８に移行する。
【００９３】
なお、ステップＳ４６で「ＮＯ」の場合とは、ＦＣ発電単価が購入電力単価より安くなく、燃料電池２０を発電させてもコストメリットが得られないことを示している。よって、ステップＳ４６で「ＮＯ」の場合には、以下のステップにおいて、燃料電池２０の発電を行わない。一方、ステップＳ４６で「ＹＥＳ」の場合とは、ＦＣ発電単価が購入電力単価より安く、燃料電池２０を発電させることにより、コストメリットが得られることを示している。よって、ステップＳ４６で「ＹＥＳ」の場合には、以下のステップにおいて、燃料電池２０の発電を行うことを検討する。
【００９４】
ステップＳ４８において、制御装置５０は、蓄電装置３０の放電を行う。制御装置５０は、電力需要に応じて、蓄電装置３０を放電させる。このように、電力単価の低い充電電力を放電することにより、購入電力量を減らすことができ、光熱費を低減することができる。
【００９５】
制御装置５０は、当該ステップＳ４８の処理を行った後、図７に示す実行処理に係る制御を終了する。
【００９６】
ステップＳ５０において、制御装置５０は、ＦＣ発電単価＜充電単価であるか否かを判定する。制御装置５０は、現在のＦＣ発電単価と直前の充電単価とを比較してこの判定を行う。
【００９７】
制御装置５０は、ＦＣ発電単価＜充電単価であると判定した場合（ステップＳ５０で「ＹＥＳ」）、ステップＳ５２に移行する。一方、制御装置５０は、ＦＣ発電単価＜充電単価でないと判定した場合（ステップＳ５０で「ＮＯ」）、ステップＳ５８に移行する。
【００９８】
なお、ステップＳ５０で「ＮＯ」の場合とは、ＦＣ発電単価が充電単価より安くなく、燃料電池２０を発電させるよりも蓄電装置３０から放電させた方が、コストメリットが得られることを示している。一方、ステップＳ５０で「ＹＥＳ」の場合とは、ＦＣ発電単価が充電単価より安く、蓄電装置３０から放電させるよりも燃料電池２０を発電させた方が、コストメリットが得られることを示している。
【００９９】
ステップＳ５２において、制御装置５０は、燃料電池２０の発電を行う。制御装置５０は、電力需要に応じて燃料電池２０を発電させる。制御装置５０は、当該ステップＳ５２の処理を行った後、ステップＳ５４に移行する。
【０１００】
ステップＳ５４において、制御装置５０は、電力需要−ＦＣ電力（電力需要からＦＣ電力を減算した値、すなわち購入電力）＞αであるか否かを判定する。αは所定の値とすることができ、例えば０．１ｋＷとすることができる。
【０１０１】
制御装置５０は、電力需要−ＦＣ電力＞αであると判定した場合（ステップＳ５４で「ＹＥＳ」）、ステップＳ５６に移行する。一方、制御装置５０は、電力需要−ＦＣ電力＞αでないと判定した場合（ステップＳ５４で「ＮＯ」）、図７に示す実行処理に係る制御を終了する。
【０１０２】
なお、ステップＳ５４で「ＮＯ」の場合とは、ＦＣ電力によって電力需要の大部分を賄えることを示している。一方、ステップＳ５４で「ＹＥＳ」の場合とは、ＦＣ電力では電力需要の大部分を賄えないことを示している。
【０１０３】
ステップＳ５６において、制御装置５０は、蓄電装置３０の放電を行う。制御装置５０は、電力需要に応じて、蓄電装置３０を放電させる。
【０１０４】
このように、まず電力単価の最も低いＦＣ電力を発電し（ステップＳ５２参照）、必要に応じて、次に電力単価の低い充電電力を蓄電装置３０から放電することにより（ステップＳ５６参照）、購入電力量を減らすことができ、光熱費を低減することができる。
【０１０５】
制御装置５０は、当該ステップＳ５６の処理を行った後、図７に示す実行処理に係る制御を終了する。
【０１０６】
一方、ステップＳ５８において、制御装置５０は、次の充電までの電力需要量＞蓄電残量であるか否かを判定する。制御装置５０は、現在から次の充電タイミングまでの間の予測電力需要量と、現在の蓄電残量とを比較して、この判定を行う。
【０１０７】
制御装置５０は、次の充電までの電力需要量＞蓄電残量であると判定した場合（ステップＳ５８で「ＹＥＳ」）、ステップＳ６０に移行する。一方、制御装置５０は、次の充電までの電力需要量＞蓄電残量でないと判定した場合（ステップＳ５８で「ＮＯ」）、ステップＳ６２に移行する。
【０１０８】
ステップＳ６０において、制御装置５０は、放電量調整処理を行う。制御装置５０は、次の充電タイミングまでの時間において、各時間における蓄電装置３０の放電量を平均化する。
【０１０９】
具体的には、例えば現在の蓄電残量が３ｋＷｈであって、次の充電タイミングまで３時間ある場合、最初の１時間の電力需要量が３ｋＷｈであったとしても、制御装置５０は、電力需要量を賄おうとして最初の１時間で蓄電残量の全部（３ｋＷｈ）を放電するのではなく、１時間につき１ｋＷｈずつ蓄電装置３０から放電させる。
【０１１０】
制御装置５０は、当該ステップＳ６０の処理を行った後、ステップＳ６２に移行する。
【０１１１】
ステップＳ６２において、制御装置５０は、蓄電装置３０の放電を行う。制御装置５０は、ステップＳ６０で調整した放電量で、蓄電装置３０を放電させる。制御装置５０は、当該ステップＳ６２の処理を行った後、ステップＳ６４に移行する。
【０１１２】
ステップＳ６４において、制御装置５０は、電力需要−放電電力（電力需要から蓄電装置３０の放電電力を減算した値、すなわち購入電力）＞βであるか否かを判定する。βは所定の値とすることができ、例えば０．３５ｋＷとすることができる。
【０１１３】
ステップＳ６６において、制御装置５０は、燃料電池２０の発電を行う。制御装置５０は、電力需要に応じて、燃料電池２０を発電させる。制御装置５０は、当該ステップＳ６６の処理を行った後、図７に示す実行処理に係る制御を終了する。
【０１１４】
このように、まず電力単価の最も低い充電電力を蓄電装置３０から放電し（ステップＳ６２参照）、必要に応じて、次に電力単価の低いＦＣ電力を発電することにより（ステップＳ６６参照）、購入電力量を減らすことができ、光熱費を低減することができる。
【０１１５】
以上の如く、本実施形態に係る電力供給システム１においては、ＰＶ電力単価、購入電力単価、ＦＣ発電単価のあらゆる組み合わせに対して、蓄電装置３０及び燃料電池２０を最適に運用でき、光熱費の削減を図ることができる。また、ＰＶ電力単価、購入電力単価、ＦＣ発電単価が季節や時刻で変動がある場合であっても、安価な電力を優先的に負荷に供給することができるため、光熱費の削減が可能となる。
【０１１６】
以上の如く、本実施形態に係る電力供給システム１は、自然エネルギーを利用して発電可能であると共に当該発電された電力を商用電源Ｓへと売電可能な太陽光発電部１０（発電部）と、購入電力（前記商用電源Ｓからの商用電力）及びＰＶ電力（前記太陽光発電部１０からの発電電力）を充放電可能な蓄電装置３０と、前記蓄電装置３０の充放電を制御する制御装置５０（制御部）と、を具備し、前記制御装置５０は、前記購入電力を前記蓄電装置３０に充電した時の購入電力単価（前記購入電力の買電単価）である充電時買電単価、及び前記ＰＶ電力を前記蓄電装置３０に充電した時のＰＶ電力単価（前記ＰＶ電力の売電単価）である充電時売電単価に基づいて、充電した電力の平均単価である充電単価を算出し、算出した前記充電単価に基づいて前記蓄電装置３０の充放電を制御するものである。
このように構成することにより、電力単価の変動に応じて光熱費の低減を図ることができる。
【０１１７】
また、本実施形態に係る電力供給システム１は、前記制御装置５０は、前記蓄電装置３０に充電可能な時間帯である充電タイミングを決定する計画処理を実行可能であり、前記計画処理において、電力需要に対して前記ＰＶ電力の余剰が発生する第一の時間帯、購入電力単価が最少となる第二の時間帯、又は前記購入電力単価がＰＶ電力単価未満となる第三の時間帯を予測し、予測した当該第一の時間帯、当該第二の時間帯及び当該第三の時間帯を前記充電タイミングとするものである。
このように構成することにより、ＰＶ余剰電力が生じるタイミング又は充電する電力の電力単価の低いタイミングで蓄電装置３０に充電することができる。
【０１１８】
また、前記制御装置５０は、前記計画処理において、前記充電タイミングそれぞれにおいて前記蓄電装置３０に充電すべき充電量である目標充電量を決定可能であり、前記充電タイミングの一つである第一充電タイミングから当該第一充電タイミングの次の充電タイミングである第二充電タイミングまでの電力需要及び前記太陽光発電部１０の発電量を予測し、予測した当該電力需要及び当該発電量に基づいて、前記第一充電タイミングにおける前記目標充電量を決定するものである。
このように構成することにより、次の充電タイミング（第二充電タイミング）までの電力需要を、蓄電装置３０から放電される電力によって賄うことができる。
【０１１９】
また、前記制御装置５０は、前記計画処理において、前記第一の時間帯における前記充電時売電単価、前記第二の時間帯における前記充電時買電単価、及び前記第三の時間帯における前記充電時買電単価に対して、単価が低い順に優先順位を設定し、前記優先順位が最も上位の前記充電タイミングにおける前記目標充電量を、前記蓄電装置３０の最大容量に修正するものである。
このように構成することにより、電力単価が低い電力を多く充電できるため、光熱費の低減を図ることができる。
【０１２０】
また、前記制御装置５０は、前記計画処理において、前記優先順位が最も上位の前記充電タイミングにおいて前記蓄電装置３０の最大能力で充電しても前記最大容量に到達しない場合、前記優先順位が２番目に上位の前記充電タイミングにおける前記目標充電量に不足分を加算するものである。
このように構成することにより、電力単価が最も低い充電タイミングで充電した電力だけでは次の充電タイミングまでの電力需要を賄えない場合であっても、電力単価が２番目に低い充電タイミングで充電した電力で電力需要を賄うことができるため、光熱費を抑えつつ電力需要を賄うことができる。
【０１２１】
また、前記制御装置５０は、前記充電単価が現在の前記購入電力単価よりも低い場合、電力需要に応じて前記蓄電装置３０を放電させるものである。
このように構成することにより、電力単価の低い蓄電装置３０からの電力を電力需要に充てることができるため、光熱費の低減を図ることができる。
【０１２２】
また、燃料を利用して発電可能な燃料電池２０を具備し、前記制御装置５０は、前記燃料電池２０の発電単価が前記充電単価及び現在の前記購入電力単価よりも低い場合、前記燃料電池２０を発電させるものである。
このように構成することにより、電力単価の低い燃料電池２０からの電力を電力需要に充てることができるため、光熱費の低減を図ることができる。
【０１２３】
また、前記制御装置５０は、前記充電単価が前記燃料電池２０の前記発電単価及び現在の前記購入電力単価よりも低い場合、前記蓄電装置３０を放電させるものである。
このように構成することにより、電力単価の低い蓄電装置３０からの電力を電力需要に充てることができるため、光熱費の低減を図ることができる。
【０１２４】
また、前記制御装置５０は、前記充電単価が前記燃料電池２０の前記発電単価及び現在の前記購入電力単価よりも低く、かつ、前記燃料電池２０の前記発電単価が現在の前記購入電力単価よりも低い場合において、各時間における前記蓄電装置３０の放電量が平均化するように前記蓄電装置３０を放電させ、平均化された前記放電量では予測される電力需要の全部又は一部を賄えない場合、前記燃料電池２０を発電させるものである。
このように構成することにより、蓄電装置３０からの電力（放電電力）と燃料電池２０からの電力（ＦＣ電力）とで電力需要を賄えるにもかかわらず商用電力を買電してしまうのを防ぐことができる。
【０１２５】
なお、本実施形態に係る太陽光発電部１０は、発電部の実施の一形態である。
また、本実施形態に係る制御装置５０は、制御部の実施の一形態である。
【０１２６】
以上、本発明の一実施形態を説明したが、本発明は上記構成に限定されるものではなく、特許請求の範囲に記載された発明の範囲内で種々の変更が可能である。
【０１２７】
例えば、本実施形態においては、電力供給システム１は燃料電池２０を具備するものとしたが、燃料電池２０を必ずしも具備していなくてもよい。
【０１２８】
また、図２に示すステップＳ１４において、制御装置５０は、ＦＣ発電単価が購入電力単価よりも低い場合には、ＦＣ電力を考慮して、購入電力量からＦＣ電力量を減算した量を目標充電量に設定してもよい。
【０１２９】
また、本実施形態においては、図７に示すステップＳ５４の判定で用いる閾値αは、０．１ｋＷであるものとしたが、任意の値とすることができ、例えば０ｋＷであってもよい。但し、売電単価が減額されてしまう場合等の理由によりＦＣ電力を売電したくない場合、αは本実施形態のように０より大きい値とすることが望ましい。
【０１３０】
また、本実施形態においては、図７に示すステップＳ６４の判定で用いる閾値βは、０．３５ｋＷであるものとしたが、任意の値とすることができ、例えば０ｋＷであってもよい。但し、僅かな電力を賄うために燃料電池２０を稼動させることに伴う効率低下を考慮すると、βは本実施形態のように０より大きい値とすることが望ましい。
【符号の説明】
【０１３１】
１      電力供給システム
１０    太陽光発電部
２０    燃料電池
３０    蓄電装置
５０    制御装置
【図１】
2019170102.tif 000003
【図２】
2019170102.tif 000004
【図３】
2019170102.tif 000005
【図４】
2019170102.tif 000006
【図５】
2019170102.tif 000007
【図６】
2019170102.tif 000008
【図７】
2019170102.tif 000009